(57)【要約】【課題】  通信回線を使用することなく、他の外来ノイズ成分や他局のデジタル波（ＯＦＤＭ波）を誤認することなく、中継局放送所に配備される中継装置の監視と制御とを行うことができる監視制御装置および被監視制御装置を提供する。【解決手段】  監視制御装置１Ａは、地上デジタル放送における補助チャンネルに、少なくとも、放送波の所属元を識別するメディア識別信号、当該放送波によって制御される対象となる親局放送所または中継局放送所を識別する放送所識別ＩＤ信号を重畳して、当該親局放送所および当該中継局放送所を監視制御する監視制御装置１Ａであって、識別信号発生手段５と、ＴＳ信号送出手段７と、信号重畳手段９と、ＯＦＤＭ変調手段１１と、出力手段１３と、を備える構成とした。【選択図】      図１
2005191904.tif 000002
【特許請求の範囲】
【請求項１】
地上デジタル放送における補助チャンネルに、少なくとも、放送波の所属元を識別するメディア識別信号、当該放送波によって制御される対象となる親局放送所または中継局放送所を識別する放送所識別ＩＤ信号を重畳して、当該親局放送所および当該中継局放送所を監視制御する監視制御装置であって、
前記メディア識別信号および前記放送所識別ＩＤ信号を発生する識別信号発生手段と、
前記地上デジタル放送の放送波のＴＳ信号を送出するＴＳ信号送出手段と、
このＴＳ信号送出手段で送出されたＴＳ信号にて予め設定される前記補助チャンネルに、前記識別信号発生手段で発生されたメディア識別信号、放送所識別ＩＤ信号を重畳する信号重畳手段と、
この信号重畳手段で前記メディア識別信号、前記放送所識別ＩＤ信号が前記補助チャンネルに重畳された信号重畳ＴＳ信号にＯＦＤＭ変調を施すＯＦＤＭ変調手段と、
このＯＦＤＭ変調手段で前記信号重畳ＴＳ信号にＯＦＤＭ変調が施されたＯＦＤＭ信号を、前記地上デジタル放送の放送波として出力する出力手段と、
を備えることを特徴とする監視制御装置。
【請求項２】
地上デジタル放送における補助チャンネルに、少なくとも、親局放送所または中継局放送所に備えられる放送装置を制御する制御信号を重畳して、当該親局放送所および当該中継局放送所を監視制御する監視制御装置であって、
前記制御信号が入力される制御信号入力手段と、
前記地上デジタル放送の放送波のＴＳ信号を送出するＴＳ信号送出手段と、
このＴＳ信号送出手段で送出されたＴＳ信号にて予め設定される前記補助チャンネルに、前記制御信号入力手段で入力された制御信号を重畳する信号重畳手段と、
この信号重畳手段で前記制御信号が前記補助チャンネルに重畳された信号重畳ＴＳ信号にＯＦＤＭ変調を施すＯＦＤＭ変調手段と、
このＯＦＤＭ変調手段で前記信号重畳ＴＳ信号にＯＦＤＭ変調が施されたＯＦＤＭ信号を、前記地上デジタル放送の放送波として出力する出力手段と、
を備えることを特徴とする監視制御装置。
【請求項３】
地上デジタル放送における補助チャンネルに、少なくとも、放送波の所属元を識別するメディア識別信号、当該放送波によって制御される対象となる親局放送所または中継局放送所を識別する放送所識別ＩＤ信号、当該親局放送所または当該中継局放送所に備えられる放送装置を制御する制御信号を重畳して、当該親局放送所および当該中継局放送所を監視制御する監視制御装置であって、
前記メディア識別信号および前記放送所識別ＩＤ信号を発生する識別信号発生手段と、
前記制御信号が入力される制御信号入力手段と、
前記地上デジタル放送の放送波のＴＳ信号を送出するＴＳ信号送出手段と、
このＴＳ信号送出手段で送出されたＴＳ信号にて予め設定される前記補助チャンネルに、前記識別信号発生手段で発生されたメディア識別信号、放送所識別ＩＤ信号および前記制御信号入力手段で入力された制御信号を重畳する信号重畳手段と、
この信号重畳手段で前記メディア識別信号、前記放送所識別ＩＤ信号および前記制御信号が重畳された信号重畳ＴＳ信号にＯＦＤＭ変調を施すＯＦＤＭ変調手段と、
このＯＦＤＭ変調手段で前記信号重畳ＴＳ信号にＯＦＤＭ変調が施されたＯＦＤＭ信号を、前記地上デジタル放送の放送波として出力する出力手段と、
を備えることを特徴とする監視制御装置。
【請求項４】
地上デジタル放送における補助チャンネルに重畳された、少なくとも、放送波の所属元を識別するメディア識別信号、当該放送波によって制御される対象となる親局放送所または中継局放送所を識別する放送所識別ＩＤ信号によって、監視制御される被監視制御装置であって、
前記地上デジタル放送の放送波であるＯＦＤＭ信号を分配する分配手段と、
この分配手段で分配された前記ＯＦＤＭ信号を受信する受信手段と、
前記分配手段で分配された前記ＯＦＤＭ信号をＯＦＤＭ復調して得られる信号重畳ＴＳ信号に含まれる前記補助チャンネルを復調する補助チャンネル復調手段と、
この補助チャンネル復調手段で復調された補助チャンネルから前記メディア識別信号、前記放送所識別ＩＤ信号を検出すると共に、当該メディア識別信号および当該放送所識別ＩＤ信号が予め設定された信号と一致するか判定し、一致しない場合に、異常検出を報知するアラーム信号と当該装置の機能を停止させるスケルチ制御信号とを出力する識別信号検出手段と、
この識別信号検出手段で前記スケルチ制御信号が出力されなかった場合に、前記受信手段で受信されたＯＦＤＭ信号を送信する送信手段と、
を備えることを特徴とする被監視制御装置。
【請求項５】
地上デジタル放送における補助チャンネルに重畳された、少なくとも、放送波の所属元を識別するメディア識別信号、当該放送波によって制御される対象となる親局放送所または中継局放送所を識別する放送所識別ＩＤ信号によって、監視制御される被監視制御装置であって、
前記地上デジタル放送の放送波であるＯＦＤＭ信号を受信する受信手段と、
この受信手段で受信されたＯＦＤＭ信号を送信する送信手段と、
この送信手段で送信されるＯＦＤＭ信号を分配する分配手段と、
この分配手段で分配された前記ＯＦＤＭ信号をＯＦＤＭ復調して得られる信号重畳ＴＳ信号に含まれる前記補助チャンネルを復調する補助チャンネル復調手段と、
この補助チャンネル復調手段で復調された補助チャンネルから前記メディア識別信号、前記放送所識別ＩＤ信号を検出すると共に、当該メディア識別信号および当該放送所識別ＩＤ信号が予め設定された信号と一致するか判定し、一致しない場合に、異常検出を報知するアラーム信号を出力し、予め準備されている予備装置に切り替える制御を行わせる予備系切替制御信号を前記送信手段に出力する識別信号検出手段とを備え、
前記送信手段は、前記予備系切替制御信号の有無に従って、前記受信手段で受信されたＯＦＤＭ信号を送信することを特徴とする被監視制御装置。
【請求項６】
地上デジタル放送における補助チャンネルに重畳された、少なくとも、放送波の所属元を識別するメディア識別信号、当該放送波によって制御される対象となる親局放送所または中継局放送所を識別する放送所識別ＩＤ信号によって、監視制御される被監視制御装置であって、
前記地上デジタル放送の放送波であるＯＦＤＭ信号を分配する第一分配手段と、
この第一分配手段で分配された前記ＯＦＤＭ信号を受信する受信手段と、
前記第一分配手段で分配された前記ＯＦＤＭ信号をＯＦＤＭ復調して得られる信号重畳ＴＳ信号に含まれる前記補助チャンネルを復調する第一補助チャンネル復調手段と、
前記受信手段で受信されたＯＦＤＭ信号を送信する送信手段と、
この送信手段で送信されるＯＦＤＭ信号を分配する第二分配手段と、
この第二分配手段で分配された前記ＯＦＤＭ信号をＯＦＤＭ復調して得られる信号重畳ＴＳ信号に含まれる前記補助チャンネルを復調する第二補助チャンネル復調手段と、
前記第一補助チャンネル復調手段で復調された補助チャンネルおよび前記第二補助チャンネル復調手段で復調された補助チャンネルの少なくとも一方から前記メディア識別信号、前記放送所識別ＩＤ信号を検出すると共に、当該メディア識別信号および当該放送所識別ＩＤ信号が予め設定された信号と一致するか判定し、前記メディア識別信号が一致しない場合、或いは、前記放送所識別ＩＤ信号が一致する場合に、異常検出を報知するアラーム信号を出力し、予め準備されている予備装置に切り替える制御を行わせる予備系切替制御信号を前記送信手段を出力する識別信号検出手段とを備え、
前記送信手段は、前記予備系切替制御信号の有無に従って、前記受信手段で受信されたＯＦＤＭ信号を送信することを特徴とする被監視制御装置。
【請求項７】
地上デジタル放送における補助チャンネルに多重された、少なくとも、放送波の所属元を識別するメディア識別信号、当該放送波によって制御される対象となる親局放送所または中継局放送所を識別する放送所識別ＩＤ信号および当該親局放送所または当該中継局放送所に備えられる放送装置を制御する制御信号によって、監視制御される被監視制御装置であって、
前記地上デジタル放送の放送波であるＯＦＤＭ信号を分配する分配手段と、
この分配手段で分配された前記ＯＦＤＭ信号を受信する受信手段と、
前記分配手段で分配された前記ＯＦＤＭ信号をＯＦＤＭ復調して得られる信号重畳ＴＳ信号に含まれる前記補助チャンネルを復調する補助チャンネル復調手段と、
この補助チャンネル復調手段で復調された補助チャンネルおよび当該被監視制御装置とは別の装置から入力された補助チャンネルから前記メディア識別信号、前記放送所識別ＩＤ信号および前記制御信号を検出すると共に、当該メディア識別信号および当該放送所識別ＩＤ信号が予め設定された信号と一致するか判定し、前記メディア識別信号が一致しない場合、或いは、前記放送所識別ＩＤ信号が一致する場合に、異常検出を報知するアラーム信号と、前記制御信号および予め準備されている予備装置に切り替える制御を行わせる予備系切替制御信号とを出力する識別信号検出手段と、
この識別信号検出手段で出力された前記制御信号および前記予備系切替制御信号に基づいて、前記受信手段で受信されたＯＦＤＭ信号を送信する送信手段と、
を備えることを特徴とする被監視制御装置。
【請求項８】
地上デジタル放送における補助チャンネルに多重された、少なくとも、放送波によって制御される対象となる親局放送所または中継局放送所に備えられる放送装置を制御する制御信号によって、監視制御される被監視制御装置であって、
前記地上デジタル放送の放送波であるＯＦＤＭ信号を分配する分配手段と、
この分配手段で分配された前記ＯＦＤＭ信号を受信する受信手段と、
前記分配手段で分配された前記ＯＦＤＭ信号をＯＦＤＭ復調して得られる信号重畳ＴＳ信号に含まれる前記補助チャンネルを復調する補助チャンネル復調手段と、
前記分配手段で分配された前記ＯＦＤＭ信号をＯＦＤＭ復調して、前記信号重畳ＴＳ信号を得るＯＦＤＭ復調手段と、
前記補助チャンネル復調手段で復調された補助チャンネルから前記制御信号を検出し、且つ、前記ＯＦＤＭ復調手段で復調された信号重畳ＴＳ信号に含まれている、前記放送波の所属元を識別するメディア識別信号、当該放送波によって制御される対象となる親局放送所または中継局放送所を識別する放送所識別ＩＤ信号を検出すると共に、当該メディア識別信号と当該放送所識別ＩＤ信号との少なくとも一方が予め設定された信号と一致するか判定し、一致しない場合に、異常検出を報知するアラーム信号と当該装置の機能を停止させるスケルチ制御信号とを出力する識別信号検出手段と、
この識別信号検出手段で前記スケルチ制御信号が出力されなかった場合に、前記受信手段で受信されたＯＦＤＭ信号を送信する送信手段と、
を備えることを特徴とする被監視制御装置。
【発明の詳細な説明】
【技術分野】
【０００１】
本発明は、地上デジタル放送において、放送波で利用される補助チャンネルを利用する監視制御装置および被監視制御装置に関する。
【背景技術】
【０００２】
従来、親局放送所から出力された放送波（電波）を中継して、一般家庭等に供給する中継局放送所の監視・制御には、当該放送波、或いは、通信回線を用いた監視制御装置が利用されている（例えば、非特許文献１、非特許文献２を参照）。
放送波を用いた監視制御装置は、当該放送波に含まれている音声キャリア（音声信号を搬送する搬送波）を変調して、この変調した音声キャリアに監視情報を乗せ、当該放送波に重畳しており、これによって、放送区域内に配されている中継局放送所の被監視制御装置（中継装置）は、当該放送波から監視情報を取り出している。
【０００３】
通信回線を用いた監視制御装置は、固定式電話の電話回線や携帯電話の電話回線を利用し、これらの電話回線に監視情報を流すことにより、中継局放送所の被監視制御装置（中継装置）を監視制御している（例えば、特許文献１参照）。当然のことながら、通信回線を用いた監視制御装置では、回線費（通信費、ランニングコスト）がかかることになる。
【０００４】
また、親局放送所から出力されるアナログ波（ＮＴＳＣ波）を受信し、このアナログ波の周波数を変換し再送信を行うアナログの中継装置（アナログ中継装置）があり、このアナログ中継装置においては、当該アナログ中継装置で受信する受信波のレベルと、当該アナログ中継装置から送信する送信波のレベルとを監視しておけば、スケルチ検知、出力レベルの検知が可能である。
【０００５】
スケルチ検知とは、中継局放送所において、スケルチ検知装置と呼ばれる装置によって、親局放送所から出力された放送波が伝搬しているどうかを検知することである。
図１４に、従来のスケルチ検知装置を示す。この図１４に示すスケルチ検知装置１０１は、親局放送所から出力された放送波を受信した親局受信波を検波する検波回路１０３と、検波した信号のレベルと予め設定された設定値のレベルとを比較するレベル比較回路１０５と、中継局放送所に備えられている中継装置のオンオフを制御するオンオフ制御回路１０７とを備えている。
【０００６】
つまり、このスケルチ検知装置は、親局放送所から出力された放送波が検知された場合には、中継装置を自動的にオン（ＯＮ）にし、当該中継装置から放送波を発射（中継）するが、親局放送所から出力された放送波が検知されなくなった場合には、親局放送所から放送波の出力が終了（放送が終了）したものとし、中継装置を自動的にオフ（ＯＦＦ）にするものである。これによって、不要な放送波の発射を防止するので、スケルチ検知装置は、中継局放送所の中継装置には不可欠な装置である。
【０００７】
また、従来のアナログ波（ＮＴＳＣ波）を受信する場合、受信波は比較的に高いレベルのキャリア（音声キャリア、映像キャリア［映像を搬送する搬送波］）を有しているので、受信入力レベルが大きいので、この受信波のレベルを検知するレベル検知のみでスケルチ検知機能を確保することが可能である。通常、中継局放送所に備えられている中継装置では、受信入力レベルが標準レベルから−２０〜−２５ｄＢ低下すれば、親局放送所からの放送波が無いと判定し、当該中継装置からの放送波の発射（中継）を自動的にオフ（ＯＦＦ）にするように設定されている。
【０００８】
なぜなら、従来のアナログ波（ＮＴＳＣ波）は負変調波であるため、被変調波のピークは同期尖頭値となっており、変調内容によって変化しないため、この同期尖頭値を検出することによって、受信波のレベルを検知することは容易である。
【０００９】
さらに、従来のアナログ波（ＮＴＳＣ波）を受信する場合、当該アナログ波のノイズ放射を防止するため、当該アナログ波に本来含まれているべき同期信号がない場合には、中継局放送所の中継装置をオン（ＯＮ）にしない制御も行われている。
【００１０】
ところで、通信回線を用いた監視制御装置以外の装置（システム）は、現行のアナログ波（アナログ放送方式）を前提としており、映像・音声等すべてのデータがデジタル化され一本のＴＳ（トランスポートストリーム）とされた後、ＯＦＤＭ変調（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：多数の搬送波を用いるマルチキャリア・デジタル変調方式）されて送信されるデジタル波（デジタル放送方式）には、そのまま利用することができない。
【００１１】
ちなみに、従来のアナログ波（ＮＴＳＣ波）に対し、従来のデジタル波（ＯＦＤＭ波）は、多数のキャリアから成り立っているので、時間軸で見ると、図１５に示すように、ノイズ状の波形であり、従来のアナログ波（ＮＴＳＣ波）に比べて平均レベルがかなり低く（アナログ波に比べて−２５〜−３０ｄＢ）、時折、１０数ｄＢ高いピーク値が出現する特性を持っている。
【００１２】
現行のアナログ放送方式において、被監視制御装置（中継装置）のスケルチ検知以外の制御としては、（１）番組伝送信号を用いたメディア確認・番組切替制御、（２）放送延長制御（中継装置に含まれている送信機の時間外起動）、（３）放送衛星で使用されているマルチアクセス制御等がある。
【００１３】
（１）番組伝送信号を用いたメディア確認・番組切替制御は、放送波を受信する一般家庭等に備えられる受信機では、検出できない信号（通常、Ｉ信号、Ｑ信号と呼ばれるもの）を番組（プログラム）の中に挿入して、当該信号の周波数を被監視制御装置（中継装置）が検出することにより、メディアの確認、ネット番組（系列番組）とローカル番組との番組切替を行うものである。なお、検出できない信号を番組（プログラム）の中に、挿入する場合、番組（プログラム）が映像の場合には、垂直ブランキング期間に、番組（プログラム）が音声の場合には、一般家庭等に備えられる受信機では検出できない９ｋＨｚ帯に挿入される。
【００１４】
（２）放送延長制御は、メディア確認・番組切替制御と同様に、一般家庭等に備えられる受信機では、検出できない（検出しにくい）信号を、番組（プログラム）に挿入することで、検出できない信号の周波数の組み合わせ（例えば、９ｋＨｚ帯の４波）により、番組（プログラム）の放送延長時に被監視制御装置（中継装置）に含まれている送信機を時間外起動させるものである。
【００１５】
（３）マルチアクセス制御は、降雨時等に、放送衛星に向けて放送波を発信している発局を切り替えて、番組（プログラム）の受信状態を安定させて、一般家庭等に備えられる受信機に届ける（伝搬させる）際に行われるものである。このマルチアクセス制御は、現時点の発局から終了予告信号（通常、Ｑｃ信号と呼ばれ、（１）の番組伝送信号と同じもの）を放送衛星に向けて送信後、一定時間経過後、自局の送信機をオフにする。そして、次に放送波を発信する発局は、Ｑｃ信号を受信して、放送衛星への伝搬時間を考慮した時間が経過した後、送信機をオンにすることによって、放送衛星において、スムーズに、一般家庭等に伝搬させる放送波の切替が行われる。
【非特許文献１】放送技術双書（運用技術）の全頁、日本放送協会編、日本放送出版協会、昭和５７年１２月発行
【非特許文献２】放送技術双書（放送衛星技術）の全頁、日本放送協会編、日本放送出版協会、昭和５７年１２月発行
【発明の開示】
【発明が解決しようとする課題】
【００１６】
しかしながら、従来の放送波（アナログ波［ＮＴＳＣ波］）を用いた監視制御装置では、音声キャリアでは限られた情報しか搬送できず、監視情報のみの伝送しか行っておらず、中継局放送所の中継装置の制御を行うことができないという問題がある。また、従来の通信回線を用いた監視制御装置では、通信回線の確保が必要となり、固定式電話の電話回線を敷設できない場所や、携帯電話の通話エリア外の場所にある中継局放送所では使用することができないという問題がある。
【００１７】
また、従来のデジタル波（ＯＦＤＭ波）は、アナログ波（ＮＴＳＣ波）に比べ平均レベルが低く、且つ、同期信号のような特性を含んでいないため、従来のデジタル波（ＯＦＤＭ波）を用いた監視制御装置では、中継局放送所の中継装置が他の外来ノイズ成分や他局のデジタル波（ＯＦＤＭ波）を、親局放送所から出力されたものと誤認し、ノイズ放射や異なるプログラム（異種プログラム）を送信してしまうという問題がある。
【００１８】
さらに、従来の（１）番組伝送信号を用いたメディア確認・番組切替制御、（２）放送延長制御（中継装置に含まれている送信機の時間外起動）、（３）放送衛星で使用されているマルチアクセス制御も、現行のアナログ放送方式を前提としているので、デジタル放送方式には、そのまま利用することができないという問題がある。
【００１９】
そこで、本発明では、前記した問題を解決し、通信回線を使用することなく、他の外来ノイズ成分や他局のデジタル波（ＯＦＤＭ波）を誤認することなく、中継局放送所に配備される中継装置の監視と制御とを、従来のアナログ放送方式と同様に行うことができる監視制御装置および被監視制御装置を提供することを目的とする。
【課題を解決するための手段】
【００２０】
前記課題を解決するため、請求項１記載の監視制御装置は、地上デジタル放送における補助チャンネルに、少なくとも、放送波の所属元を識別するメディア識別信号、当該放送波によって制御される対象となる親局放送所または中継局放送所を識別する放送所識別ＩＤ信号を重畳して、当該親局放送所および当該中継局放送所を監視制御する監視制御装置であって、識別信号発生手段と、ＴＳ信号送出手段と、信号重畳手段と、ＯＦＤＭ変調手段と、出力手段と、を備える構成とした。
【００２１】
かかる構成によれば、監視制御装置は、識別信号発生手段によって、メディア識別信号および放送所識別ＩＤ信号を発生する。つまり、この識別信号発生手段で、放送局の放送波、例えば、日本放送協会の総合ＴＶの放送波、日本放送協会の教育ＴＶの放送波等を識別することができるメディア識別信号と、当該放送波を発射（発信）している放送所（例えば、東京の放送所、大阪の放送所）を識別することができる放送所識別ＩＤ信号とが発生される。続いて、この監視制御装置は、ＴＳ信号送出手段によって、地上デジタル放送の放送波のＴＳ信号を送出する。このＴＳ信号は、ＭＰＥＧ−２で規定されるトランスポートストリーム（ＴＳ）を一つ、若しくは、複数の当該トランスポートストリーム（ＴＳ）を再多重したものを一つのトランスポートストリーム（ＴＳ）としたものである。
【００２２】
そして、この監視制御装置は、信号重畳手段によって、ＴＳ信号送出手段で送出されたＴＳ信号にて予め設定される補助チャンネルに、識別信号発生手段で発生されたメディア識別信号、放送所識別ＩＤ信号を重畳（格納）する。この補助チャンネル（Ａｕｘｉｌｉａｒｙ  Ｃｈａｎｎｅｌ  ＡＣ）は、地上デジタル放送において、付加情報を伝送するための信号である。そして、この監視制御装置は、ＯＦＤＭ変調手段によって、信号重畳手段でメディア識別信号、放送所識別ＩＤ信号が補助チャンネルに重畳された信号重畳ＴＳ信号にＯＦＤＭ変調を施す。そして、この監視制御装置は、出力手段によって、ＯＦＤＭ変調手段によって、信号重畳ＴＳ信号にＯＦＤＭ変調が施されたＯＦＤＭ信号を地上デジタル放送の放送波として出力する。なお、参考までに、ＯＦＤＭ変調とは、多数の搬送波を用いるマルチキャリア・デジタル変調方式の一種である。
【００２３】
つまり、この監視制御装置では、デジタル放送波に含まれるＡＣを用いて、自局を示すＩＤ信号（メディア識別信号）を伝送し、中継放送所の被監視制御装置（中継装置）で受信された後、この受信されたデジタル放送波（受信波）を復調後に、当該受信波が自局のものであるか否かが判別することになる。受信波が自局以外であれば、被監視制御装置（中継装置）は、当該装置に含まれている送信機をシャットダウンすると共に、表示、アラーム信号を送出することになる。ちなみに、現行のアナログ放送方式においては、受信波の同期信号のレベルを検出するだけであり、このようなメディアを識別する機能は有していない。
【００２４】
さらに、中継放送所の被監視制御装置（中継装置）で受信された後、この受信されたデジタル放送波（受信波）を再送信する際に、被監視制御装置（中継装置）に含まれている送信機の出力（送信機出力）を復調して、ＩＤ信号（メディア識別信号）を検出することにより、当該監視制御装置（中継装置）の出力が正常であるか否かを判別することになる。そして、被監視制御装置（中継装置）は、ＩＤ信号（メディア識別信号）が検出されなければ、表示、アラーム信号を送出すると共に、予備系に切り替える信号を出力することになる。ちなみに、現行のアナログ放送方式においては、受信波の同期信号のレベルを検出するだけであり、このような被監視制御装置（中継装置）の出力を検出する機能は有していない。
【００２５】
請求項２記載の監視制御装置は、地上デジタル放送における補助チャンネルに、少なくとも、親局放送所または中継局放送所に備えられる放送装置を制御する制御信号を重畳して、当該親局放送所および当該中継局放送所を監視制御する監視制御装置であって、制御信号入力手段と、ＴＳ信号送出手段と、信号重畳手段と、ＯＦＤＭ変調手段と、出力手段と、を備える構成とした。
【００２６】
かかる構成によれば、監視制御装置は、制御信号入力手段によって、制御信号が入力される。この制御信号は、親局放送所又は中継局放送所に備えられる放送装置（出力装置、中継装置）を制御するもので、当該装置の起動、停止、予め用意された予備機（予備系）への切替を行うものである。続いて、この監視制御装置は、ＴＳ信号送出手段によって、地上デジタル放送の放送波のＴＳ信号を送出する。そして、この監視制御装置は、信号重畳手段によって、ＴＳ信号送出手段で送出されたＴＳ信号にて予め設定される補助チャンネルに、制御信号入力手段で入力された制御信号を重畳（格納）する。そして、この監視制御装置は、ＯＦＤＭ変調手段によって、信号重畳手段で制御信号が補助チャンネルに重畳された信号重畳ＴＳ信号にＯＦＤＭ変調を施す。そして、この監視制御装置は、出力手段によって、ＯＦＤＭ変調手段で信号重畳ＴＳ信号にＯＦＤＭ変調が施されたＯＦＤＭ信号を、地上デジタル放送の放送波として出力する。
【００２７】
請求項３記載の監視制御装置は、地上デジタル放送における補助チャンネルに、少なくとも、放送波の所属元を識別するメディア識別信号、当該放送波によって制御される対象となる親局放送所または中継局放送所を識別する放送所識別ＩＤ信号、当該親局放送所または当該中継局放送所に備えられる放送装置を制御する制御信号を重畳して、当該親局放送所および当該中継局放送所を監視制御する監視制御装置であって、識別信号発生手段と、制御信号入力手段と、ＴＳ信号送出手段と、信号重畳手段と、ＯＦＤＭ変調手段と、出力手段と、を備える構成とした。
【００２８】
かかる構成によれば、監視制御装置は、識別信号発生手段によって、メディア識別信号および放送所識別ＩＤ信号を発生し、制御信号入力手段によって、制御信号が入力される。続いて、この監視制御装置は、ＴＳ信号送出手段によって、地上デジタル放送の放送波のＴＳ信号を送出する。そして、この監視制御装置は、信号重畳手段によって、ＴＳ信号送出手段で送出されたＴＳ信号にて予め設定される補助チャンネルに、識別信号発生手段で発生されたメディア識別信号、放送所識別ＩＤ信号、制御信号入力手段で入力された制御信号を重畳（格納）し、これらを重畳した信号重畳ＴＳ信号を、ＯＦＤＭ変調手段によって、ＯＦＤＭ変調を施す。そして、この監視制御装置は、出力手段によって、ＯＦＤＭ変調手段で信号重畳ＴＳ信号にＯＦＤＭ変調が施されたＯＦＤＭ信号を、地上デジタル放送の放送波として出力する。
【００２９】
つまり、この監視制御装置では、デジタル放送波に含まれるＡＣを用いて、被監視制御装置（中継装置）を制御する制御信号と、制御対象局を示すＩＤ信号（放送所識別ＩＤ信号）を伝送し、中継放送所の被監視制御装置（中継装置）で受信された後、この受信されたデジタル放送波（受信波）を復調後に、当該被監視制御装置（中継装置）が制御されることになる。このＩＤ信号（放送所識別ＩＤ信号）は、各中継放送所の被監視制御装置（中継装置）に割り当てられているので、各中継放送所の被監視制御装置（中継装置）を別々に制御することも可能である。ちなみに、現行のアナログ放送方式においては、各中継放送所の被監視制御装置（中継装置）はＩＤ信号（放送所識別ＩＤ信号）を持っていないので、全中継放送所を一斉に制御することしかできない。
【００３０】
請求項４記載の被監視制御装置は、地上デジタル放送における補助チャンネルに重畳された、少なくとも、放送波の所属元を識別するメディア識別信号、当該放送波によって制御される対象となる親局放送所または中継局放送所を識別する放送所識別ＩＤ信号によって、監視制御される被監視制御装置であって、分配手段と、受信手段と、補助チャンネル復調手段と、識別信号検出手段と、送信手段と、を備える構成とした。
【００３１】
かかる構成によれば、被監視制御装置は、分配手段によって、地上デジタル放送の放送波であるＯＦＤＭ信号を分配し、受信手段によって、分配されたＯＦＤＭ信号を受信する。つまり、この分配手段は、アンテナ等で取得された放送波を２，３の系統に分配するものであり、受信手段は、分配されたＯＦＤＭ信号に変換処理（検波、増幅等）を施すものである。続いて、この被監視制御装置は、補助チャンネル復調手段によって、ＯＦＤＭ信号をＯＦＤＭ復調して得られる信号重畳ＴＳ信号に含まれる補助チャンネルを復調し、識別信号検出手段によって、メディア識別信号、放送所識別ＩＤ信号を検出し、これらが予め設定された信号と一致するか判定し、一致しない場合、例えば、当該メディア識別信号、当該放送所識別ＩＤ信号が自局のものと一致しない場合（放送波が自局波以外の場合）に、異常を検出したとしてアラーム信号と、当該装置の機能を停止させる（シャットダウンさせる）スケルチ制御信号とを出力する（いわゆるスケルチ機能）。
【００３２】
そして、この被監視制御装置は、送信手段によって、識別信号検出手段でスケルチ制御信号が出力されなかった場合に、受信手段で受信されたＯＦＤＭ信号を送信する。つまり、受信手段で受信した放送波（ＯＦＤＭ信号）を中継して出力することとなる。
【００３３】
請求項５記載の被監視制御装置は、地上デジタル放送における補助チャンネルに重畳された、少なくとも、放送波の所属元を識別するメディア識別信号、当該放送波によって制御される対象となる親局放送所または中継局放送所を識別する放送所識別ＩＤ信号によって、監視制御される被監視制御装置であって、受信手段と、送信手段と、分配手段と、補助チャンネル復調手段と、識別信号検出手段と、を備える構成とした。
【００３４】
かかる構成によれば、被監視制御装置は、受信手段によって、地上デジタル放送の放送波であるＯＦＤＭ信号を受信し、送信手段によって、予備系切替制御信号の有無に従って、つまり、予備系切替制御信号が無い場合に、当該放送波であるＯＦＤＭ信号を送信する。この予備系切替制御信号は、補助チャンネルから検出されたメディア識別信号および放送所識別ＩＤ信号が予め設定された信号と一致しない場合に出力されるものである。
【００３５】
続いて、この被監視制御装置は、分配手段によって、送信手段で送信されるＯＦＤＭ信号を分配し、補助チャンネル復調手段よって、ＯＦＤＭ信号をＯＦＤＭ復調して得られる信号重畳ＴＳ信号に含まれる補助チャンネルを復調する。そして、この被監視制御装置は、識別信号検出手段によって、補助チャンネル復調手段で復調された補助チャンネルからメディア識別信号、放送所識別ＩＤ信号を検出し、これらが予め設定された信号と一致しない場合に、アラーム信号を出力し、予備系切替制御信号を出力する。つまり、この被監視制御装置は、送信手段から出力される放送波（ＯＦＤＭ信号）を検知する、いわゆる出力検知機能を有しているものである。
【００３６】
請求項６記載の被監視制御装置は、地上デジタル放送における補助チャンネルに重畳された、少なくとも、放送波の所属元を識別するメディア識別信号、当該放送波によって制御される対象となる親局放送所または中継局放送所を識別する放送所識別ＩＤ信号によって、監視制御される被監視制御装置であって、第一分配手段と、受信手段と、第一補助チャンネル復調手段と、送信手段と、第二分配手段と、第二補助チャンネル復調手段と、識別信号検出手段と、を備える構成とした。
【００３７】
かかる構成によれば、被監視制御装置は、第一分配手段によって、地上デジタル放送の放送波であるＯＦＤＭ信号を分配し、受信手段によって、第一分配手段で分配されたＯＦＤＭ信号を受信する。続いて、この被監視制御装置は、第一補助チャンネル復調手段によって、ＯＦＤＭ信号をＯＦＤＭ復調して得られる信号重畳ＴＳ信号に含まれる補助チャンネルを復調し、送信手段によって、予備系切替制御信号の有無に従って、つまり、予備系切替制御信号が無い場合に、当該放送波（ＯＦＤＭ信号）を送信する。
【００３８】
そして、この被監視制御装置は、第二分配手段によって、送信手段で送信されるＯＦＤＭ信号を分配し、第二補助チャンネル復調手段で、分配されたＯＦＤＭ信号をＯＦＤＭ復調して得られる信号重畳ＴＳ信号に含まれる補助チャンネルを復調し、識別信号検出手段によって、復調された少なくとも一方の補助チャンネルからメディア識別信号、放送所識別ＩＤ信号を検出し、予め設定された信号と一致するか判定し、メディア識別信号が一致しない場合、或いは、放送所識別ＩＤ信号が一致する場合に、アラーム信号を出力し、予備系切替制御信号を出力する。
【００３９】
請求項７記載の被監視制御装置は、地上デジタル放送における補助チャンネルに多重された、少なくとも、放送波の所属元を識別するメディア識別信号、当該放送波によって制御される対象となる親局放送所または中継局放送所を識別する放送所識別ＩＤ信号および当該親局放送所または当該中継局放送所に備えられる放送装置を制御する制御信号によって、監視制御される被監視制御装置であって、分配手段と、受信手段と、補助チャンネル復調手段と、識別信号検出手段と、送信手段と、を備える構成とした。
【００４０】
かかる構成によれば、被監視制御装置は、分配手段によって、地上デジタル放送の放送波であるＯＦＤＭ信号を分配し、受信手段によって、分配手段で分配されたＯＦＤＭ信号を受信する。続いて、この被監視制御装置は、補助チャンネル復調手段によって、ＯＦＤＭ信号をＯＦＤＭ復調して得られる信号重畳ＴＳ信号に含まれる補助チャンネルを復調し、識別信号検出手段によって、補助チャンネル復調手段で復調された補助チャンネルおよび当該被監視制御装置とは別の装置から入力された補助チャンネルからメディア識別信号、放送所識別ＩＤ信号および制御信号を検出すると共に、当該メディア識別信号および当該放送所識別ＩＤ信号が予め設定された信号と一致するか判定し、メディア識別信号が一致しない場合、或いは、放送所識別ＩＤ信号が一致する場合に、異常検出を報知するアラーム信号と、制御信号および予め準備されている予備装置に切り替える制御を行わせる予備系切替制御信号とを出力する。その後、この被監視制御装置は、送信手段によって、識別信号検出手段で出力された制御信号および予備系切替制御信号に基づいて、受信手段で受信された放送波（ＯＦＤＭ信号）を送信する。
【００４１】
請求項８記載の被監視制御装置は、地上デジタル放送における補助チャンネルに多重された、少なくとも、放送波によって制御される対象となる親局放送所または中継局放送所に備えられる放送装置を制御する制御信号によって、監視制御される被監視制御装置であって、分配手段と、受信手段と、補助チャンネル復調手段と、ＯＦＤＭ復調手段と、識別信号検出手段と、送信手段と、を備える構成とした。
【００４２】
かかる構成によれば、被監視制御装置は、分配手段によって、地上デジタル放送の放送波であるＯＦＤＭ信号を分配し、受信手段によって、分配手段で分配されたＯＦＤＭ信号を受信する。続いて、この被監視制御装置は、補助チャンネル復調手段によって、ＯＦＤＭ信号をＯＦＤＭ復調して得られる信号重畳ＴＳ信号に含まれる補助チャンネルを復調し、ＯＦＤＭ復調手段によって、ＯＦＤＭ信号をＯＦＤＭ復調して、信号重畳ＴＳ信号を得る。そして、この被監視制御装置は、識別信号検出手段によって、補助チャンネル復調手段で復調された補助チャンネルから制御信号を検出し、且つ、ＯＦＤＭ復調手段で復調された信号重畳ＴＳ信号に含まれている、放送波の所属元を識別するメディア識別信号、当該放送波によって制御される対象となる親局放送所または中継局放送所を識別する放送所識別ＩＤ信号を検出すると共に、当該メディア識別信号と当該放送所識別ＩＤ信号との少なくとも一方が予め設定された信号と一致するか判定し、一致しない場合に、異常検出を報知するアラーム信号と当該装置の機能を停止させるスケルチ制御信号とを出力する。その後、この被監視制御装置は、送信手段によって、識別信号検出手段でスケルチ制御信号が出力されなかった場合に、受信手段で受信された放送波（ＯＦＤＭ信号）を送信する。
【発明の効果】
【００４３】
請求項１、２、３記載の発明によれば、地上デジタル放送の放送波において、補助チャンネルを有効利用して、メディア識別信号、放送所識別ＩＤ信号、制御信号を出力しているので、通信回線を使用することなく、他の外来ノイズ成分や他局のデジタル波（ＯＦＤＭ波）を誤認することなく、中継局放送所に配備される中継装置（被監視制御装置）の監視だけでなく、制御も行うことができる。
【００４４】
請求項４、５、６、７、８記載の発明によれば、地上デジタル放送の放送波において、補助チャンネルを有効利用して、メディア識別信号、放送所識別ＩＤ信号、制御信号が出力されているので、通信回線を使用することなく、他の外来ノイズ成分や他局のデジタル波（ＯＦＤＭ波）を誤認することなく、これらの信号により送信側から監視だけでなく、制御も行うことができる。
【発明を実施するための最良の形態】
【００４５】
次に、本発明の実施形態について、適宜、図面を参照しながら詳細に説明する。
この最良の形態の説明では、まず、監視制御装置と被監視制御装置とからなる監視制御システムの５つの実施形態（第一実施形態から第五実施形態）について、構成、動作を説明する。そして、制御レベルと中継局放送所の中継装置（被監視制御装置）との関係について説明し、補助チャンネルの利用例について説明する。
【００４６】
（監視制御システムの構成［第一実施形態］）
図１に監視制御システムの第一実施形態のブロック図を示す。この図１に示すように、監視制御システムＡは、監視制御装置１Ａと、被監視制御装置３Ａとを備えている。この監視制御システムＡは、親局放送所に配置されている監視制御装置１Ａから送信する地上デジタル放送の放送波に含まれる補助チャンネルを利用して、中継局放送所に配置されている被監視制御装置３Ａを監視制御するものである。なお、地上デジタル放送の放送波（放送方式）は、１３個のＯＦＤＭセグメントで伝送帯域を構成したものである。ちなみに、ＯＦＤＭセグメントは、データキャリア（データを搬送する搬送波）に制御信号キャリア（制御信号を搬送する搬送波）を付加した基本帯域およびフレーム構成された信号を指すものである。
【００４７】
［監視制御装置１Ａの構成］
監視制御装置１Ａは、地上デジタル放送の放送波に含まれる補助チャンネルを利用して、被監視制御装置３Ａのスケルチ制御を行うもので、識別信号発生手段５と、ＴＳ信号送出手段７と、信号重畳手段９と、ＯＦＤＭ変調手段１１と、出力手段１３とを備えている。
【００４８】
識別信号発生手段５は、放送波の所属元を示す、メディア識別信号、放送所識別ＩＤ信号を発生させるものである。メディア識別信号は、放送局の放送波を識別する特定パターンの信号であり、例えば、東京の総合ＴＶを識別する特定パターンの信号、東京の教育ＴＶを識別する特定パターンの信号等が挙げられる。放送所識別ＩＤ信号は、放送波（電波）を出力した親局放送所または中継局放送所を識別する特定パターンの信号であり、例えば、東京にある親局放送所を識別する特定パターンの信号、名古屋にある中継局放送所を識別する特定パターンの信号等が挙げられる。
【００４９】
ＴＳ信号送出手段７は、地上デジタル放送の放送波のＴＳ信号（Ｔｒａｎｓｐｏｒｔ  Ｓｔｒｅａｍ）を送出するものである。このＴＳ信号は、ＭＰＥＧ−２で規定されるもので、親局放送所から直接、或いは、中継局放送所を介して、視聴者端末に提供されるサービスに応じて伝送路符号化が施されるものである。
【００５０】
信号重畳手段９は、ＴＳ信号送出手段７で送出されたＴＳ信号において予め設定されている補助チャンネルに、識別信号発生手段５で発生されたメディア識別信号および放送所識別ＩＤ信号を重畳するものである。つまり、この信号重畳手段９は、付加情報を伝送するための補助チャンネルに、メディア識別信号および放送所識別ＩＤ信号を当該付加情報として挿入するものである。なお、この信号重畳手段９の機能を実現する装置は、ＡＣインサーターと呼ばれるものである。
【００５１】
また、補助チャンネル（Ａｕｘｉｌｉａｒｙ  Ｃｈａｎｎｅｌ：ＡＣ）は、変調波（地上デジタル放送の放送波）の伝送制御に関する付加情報の伝送路（付加情報を伝送するための拡張用信号）と言えるものであり、通常、補助チャンネルの付加情報は、コンティニュアルパイロット（Ｃｏｎｔｉｎｕａｌ  Ｐｉｌｏｔ：ＣＰ）と同種のパイロットキャリアをＤＢＰＳＫ（Ｄｉｆｆｅｒｅｎｔｉａｌ  Ｂｉｎａｒｙ  Ｐｈａｓｅ  Ｓｈｉｆｔ  Ｋｅｙｉｎｇ）変調することにより伝送される。ちなみに、コンティニュアルパイロットは、連続キャリアを指すものである。
【００５２】
さらに、補助チャンネルは、当該補助チャンネルを構成するフレームの先頭シンボルに、差動基準が配置されており、ＴＳ信号送出手段７に組み込まれているＰＲＢＳ（Ｐｓｅｕｄｏ−Ｒａｎｄｏｍ  Ｂｉｎａｒｙ  Ｓｅｑｕｅｎｃｅ）生成回路（図示せず）の出力ビット列Ｗｉに対応した数の信号点をとるものである。
【００５３】
ＯＦＤＭ変調手段１１は、信号重畳手段９でＴＳ信号の補助チャンネルにメディア識別信号および放送所識別ＩＤ信号が重畳された信号重畳ＴＳ信号にＯＦＤＭ変調を施して、ＯＦＤＭ信号とするものである。このＯＦＤＭ変調手段１１は、ＩＳＤＢ−Ｔ方式によって、信号重畳ＴＳ信号に誤り訂正、変調、インターリーブ、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号生成、フレーム構成等の階層並列処理を施した後、ＩＦＦＴ（逆フーリエ変換）を施すことによって、伝送路符号化を実施するものである。
【００５４】
ちなみに、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ  Ｔｅｌｅｖｉｓｉｏｎ  Ｂｒｏａｄｃａｓｔｉｎｇ）方式は、時間インターリーブを備え、受信電界の変動が避けられない移動受信に対して、強力な伝送路符号化を可能にするものである。
【００５５】
ＯＦＤＭ信号の送信スペクトルは、テレビジョン放送のチャンネル帯域幅を１４等分したＯＦＤＭブロック（以下、ＯＦＤＭセグメントという）が１３個連続して構成されている。このＯＦＤＭ変調手段１１では、ＯＦＤＭセグメントのキャリア構成を、複数の当該ＯＦＤＭセグメントの連結が可能なように構造化することによって、ＯＦＤＭ信号の伝送帯域幅がＯＦＤＭセグメントのセグメント幅単位で実現されている。
【００５６】
出力手段１３は、ＯＦＤＭ変調手段１１で信号重畳ＴＳ信号がＯＦＤＭ変調されたＯＦＤＭ信号を、地上デジタル放送の放送波として、各中継局放送所に備えられている複数の被監視制御装置３Ａに向け出力（送信）するものである。
【００５７】
この監視制御装置１Ａによれば、識別信号発生手段５で、メディア識別信号および放送所識別ＩＤ信号が発生され、ＴＳ信号送出手段７で、地上デジタル放送の放送波のＴＳ信号が送出される。そして、信号重畳手段９により、ＴＳ信号送出手段７で送出されたＴＳ信号にて予め設定される補助チャンネルに、識別信号発生手段５で発生されたメディア識別信号、放送所識別ＩＤ信号が重畳（格納）されて、信号重畳ＴＳ信号とされ、ＯＦＤＭ変調手段１１により、この信号重畳ＴＳ信号にＯＦＤＭ変調が施される。その後、出力手段１３により、ＯＦＤＭ変調手段１１で、信号重畳ＴＳ信号にＯＦＤＭ変調が施されたＯＦＤＭ信号が地上デジタル放送の放送波として出力される。
【００５８】
このため、地上デジタル放送の放送波において、補助チャンネルを有効利用して、メディア識別信号、放送所識別ＩＤ信号を出力しているので、受信側の被監視制御装置３Ａでは、当該メディア識別信号、放送所識別ＩＤ信号に基づいて、受信したＯＦＤＭ信号の所属元、制御対象が判別されることとなり、通信回線を使用することなく、他の外来ノイズ成分や他局のデジタル波（ＯＦＤＭ信号）を誤認することなく、当該装置３Ａの監視だけでなく、制御も行うことができる。
【００５９】
［被監視制御装置３Ａの構成］
被監視制御装置３Ａは、中継局放送所に配置されており、送信側の監視制御装置１Ａから監視制御されるもので、分配手段１５と、受信手段１７と、補助チャンネル復調手段１９と、識別信号検出手段２１と、送信手段２３とを備えている。
【００６０】
分配手段１５は、監視制御装置１Ａから地上デジタル放送の放送波として送信されたＯＦＤＭ信号がアンテナ等で捕捉され、この捕捉されたＯＦＤＭ信号を、複数系統（通常、２，３系統）に分配するものである。この分配手段１５で分配されたＯＦＤＭ信号は、受信手段１７と、補助チャンネル復調手段１９とに入力される。
【００６１】
受信手段１７は、分配手段１５で分配されたＯＦＤＭ信号を受信して、変換処理を施すものである。この変換処理は、ＯＦＤＭ信号を検波する検波処理、この検波処理で検波されたＯＦＤＭ信号の送信スペクトルを増幅する増幅処理と、ＳＦＮ（Ｓｉｎｇｌｅ  Ｆｒｅｑｕｅｎｃｙ  Ｎｅｔｗｏｒｋ）が実施されている場所においては、この増幅処理で増幅されたＯＦＤＭ信号について各被監視制御装置３Ａ間で同期をとるための同期化処理等を指すものである。
【００６２】
補助チャンネル復調手段１９は、分配手段１５で分配されたＯＦＤＭ信号を復調して得られる信号重畳ＴＳ信号に含まれている補助チャンネルを復調するものである。つまり、この補助チャンネル復調手段１９は、分配手段１５で分配されたＯＦＤＭ信号を復調して、信号重畳ＴＳ信号を取得すると共に、この信号重畳ＴＳ信号を復調するものである。
【００６３】
識別信号検出手段２１は、補助チャンネル復調手段１９で、復調された信号重畳ＴＳ信号から、送信側の監視制御装置１Ａで重畳されたメディア識別信号、放送所識別ＩＤ信号を検出すると共に、検出したメディア識別信号、放送所識別ＩＤ信号が予め設定された信号（以下、自局メディア識別信号という）と一致しない場合に、アラーム信号とスケルチ制御信号（送信手段シャットダウン信号）とを出力するものである。なお、この識別信号検出手段２１には、図示を省略したＩＤ識別器が備えられており、このＩＤ識別器によって、メディア識別信号、放送所識別ＩＤ信号を検出し、判別する（詳細は後記）。
【００６４】
まず、この識別信号検出手段２１は、補助チャンネルのパケットの予め設定された格納領域（この実施の形態では、２４ｂｉｔ）からメディア識別信号、放送所識別ＩＤ信号を検出する。なお、補助チャンネルのパケットの詳細については後記する（図１２を参照して後記する）。続いて、この識別信号検出手段２１は、メディア識別信号が予め設定した信号、例えば、設定信号が東京の総合テレビを示すものである場合に、メディア識別信号が他県の民放テレビを示すものである場合、異常検出を報知するアラーム信号を当該装置３Ａの外部に出力する。そして、この識別信号検出手段２１は、受信手段１７で受信したＯＦＤＭ信号を送信手段２３から送出しないように、スケルチ制御信号を出力する。
【００６５】
送信手段２３は、受信手段１７で受信され、変換処理が施されたＯＦＤＭ信号に再変換処理を施して、他の中継局放送所に備えられている被監視制御装置３Ａに送信するものである。
【００６６】
被監視制御装置３Ａによれば、分配手段１５で、地上デジタル放送の放送波であるＯＦＤＭ信号が分配され、受信手段１７で、分配されたＯＦＤＭ信号が受信される。続いて、補助チャンネル復調手段１９で、ＯＦＤＭ信号をＯＦＤＭ復調して得られる信号重畳ＴＳ信号に含まれる補助チャンネルが復調され、識別信号検出手段２１で、メディア識別信号、放送所識別ＩＤ信号が検出され、これらが予め設定された信号と一致しない場合、異常を検出したとしてアラーム信号と、当該装置３Ａの機能を停止させる（シャットダウンさせる）スケルチ制御信号とが出力される。そして、送信手段２３により、識別信号検出手段２１でスケルチ制御信号が出力されなかった場合に、受信手段１７で受信されたＯＦＤＭ信号が送信される。つまり、受信手段１７で受信された放送波（ＯＦＤＭ信号）が中継されて出力されることとなる。このため、被監視制御装置３Ａでは、送信側で補助チャンネルを有効利用して重畳されたメディア識別信号、放送所識別ＩＤ信号に基づいて、受信したＯＦＤＭ信号の所属元、制御対象を判別しているので、通信回線を使用することなく、他の外来ノイズ成分や他局のデジタル波（ＯＦＤＭ波）を誤認することなく、これらの信号により送信側から監視だけでなく、制御も行うことができる。
【００６７】
すなわち、補助チャンネルの伝送路（ＡＣ伝送路）は、伝送容量が少ない代わりに、地上デジタル放送で番組を伝送する本線系の伝送路とは異なり、当該本線系の伝送路における符号化および復号による時間インターリーブ、階層合成等の遅延（最大１秒程度）が生じないので、制御・監視信号の伝送に適していると言える。
【００６８】
（監視制御システムの構成［第二実施形態］）
図２に監視制御システムの第二実施形態のブロック図を示す。この図２に示すように、監視制御システムＢは、監視制御装置１Ｂと、被監視制御装置３Ｂとを備えている。なお、図１の監視制御システムＡで説明した構成と同一ものには、同じ符号を付して、その説明は省略する。
【００６９】
［監視制御装置１Ｂの構成］
監視制御装置１Ｂは、識別信号発生手段５と、ＴＳ信号送出手段７と、信号重畳手段９と、ＯＦＤＭ変調手段１１と、出力手段１３とを備えている。なお、この監視制御装置１Ｂは、実質的に監視制御装置１Ａと同様の構成であるので、その説明は省略する。但し、便宜上、符号を１Ａから１Ｂに変更している。当然のことながら、この監視制御装置１Ｂは、監視制御装置１Ａと同様の効果を得ることができる。
【００７０】
［被監視制御装置３Ｂの構成］
被監視制御装置３Ｂは、受信手段１７ｂと、送信手段２３ｂと、分配手段１５ｂと、補助チャンネル復調手段１９ｂと、識別信号検出手段２１ｂとを備えている。この被監視制御装置３Ｂは、補助チャンネルを用いて、送信側の監視制御装置１Ｂから送られたメディア識別信号、放送所識別ＩＤ信号に基づいて、送信手段２３ｂの異常を検出するものである。この被監視制御装置３Ｂの識別信号検出手段２１ｂの予め設定されている信号とは、通常、自局のメディアを示すＩＤ信号（自局メディア識別信号）である。
【００７１】
受信手段１７ｂは、送信側の監視制御装置１Ｂから地上デジタル放送の放送波として放送（出力）されたＯＦＤＭ信号を受信すると共に、変換処理を施して、送信手段２３ｂに出力するものである。この受信手段１７ｂは、図１に示した監視制御システムＡの被監視制御装置３Ａの受信手段１７と異なり、分配手段１５を介さずに直接、受信アンテナで捕捉したＯＦＤＭ信号を受信している。
【００７２】
送信手段２３ｂは、受信手段１７ｂで変換処理が施されたＯＦＤＭ信号に再変換処理を施してＯＦＤＭ信号とし、他の中継局放送所に備えられている被監視制御装置３Ｂに送信するものである。なお、この送信手段２３ｂは、実際には、単体の送信機として運用されている。
【００７３】
分配手段１５ｂは、送信手段２３ｂで再変換処理が施されたＯＦＤＭ信号を、補助チャンネル復調手段１９ｂに出力するものである。つまり、この分配手段１５ｂは、図１に示した監視制御システムＡの被監視制御装置３Ａの分配手段１５と配置位置が異なり、ＯＦＤＭ信号の受信側ではなく、送信（出力）側に設けられている。
【００７４】
補助チャンネル復調手段１９ｂは、送信手段２３ｂで再変換処理が施されたＯＦＤＭ信号を復調して得られる信号重畳ＴＳ信号に含まれている補助チャンネルを復調するものである。つまり、この補助チャンネル復調手段１９ｂは、分配手段１５ｂで分配されたＯＦＤＭ信号を復調して、信号重畳ＴＳ信号を取得すると共に、この信号重畳ＴＳ信号を復調するものである。
【００７５】
識別信号検出手段２１ｂは、補助チャンネル復調手段１９ｂで復調された補助チャンネルからメディア識別信号、放送所識別ＩＤ信号を検出することによって、送信手段２３ｂの出力が正常であるかどうかを判定（判別）し、当該メディア識別信号、放送所識別ＩＤ信号が検出されない場合には、アラーム信号を出力すると共に、中継局放送所に予め備えられている別の予備装置（図示せず）に切り替える予備系切替制御信号を出力する。この予備系切替制御信号によって、予備装置（図示せず）で、送信側の親局放送所から送信されたＯＦＤＭ信号を受信して、他の中継局放送所に中継することとなる。
【００７６】
また、識別信号検出手段２１ｂは、補助チャンネル復調手段１９ｂで復調された補助チャンネルからメディア識別信号、放送所識別ＩＤ信号を検出した後に、当該メディア識別信号および放送所識別ＩＤ信号が自局メディア識別信号と一致しない場合にも、アラーム信号と予備系切替制御信号を出力する。
【００７７】
この被監視制御装置３Ｂによれば、受信手段１７ｂで、地上デジタル放送の放送波であるＯＦＤＭ信号が受信され、送信手段２３ｂで、予備系切替制御信号に基づいて、当該放送波であるＯＦＤＭ信号が送信される。続いて、分配手段１５ｂにより、送信手段２３ｂで送信されるＯＦＤＭ信号が分配され、補助チャンネル復調手段１９ｂにより、ＯＦＤＭ信号をＯＦＤＭ復調して得られる信号重畳ＴＳ信号に含まれる補助チャンネルが復調される。そして、識別信号検出手段２１ｂにより、補助チャンネル復調手段１９ｂで復調された補助チャンネルからメディア識別信号、放送所識別ＩＤ信号が検出され、これらが予め設定された信号と一致しない場合に、アラーム信号が出力され、予備系切替制御信号が出力される。このため、被監視制御装置３Ｂでは、送信側で補助チャンネルを有効利用して重畳されたメディア識別信号、放送所識別ＩＤ信号に基づいて、送信手段２３ｂの出力異常を検出しているので、通信回線を使用することなく、他の外来ノイズ成分や他局のデジタル波（ＯＦＤＭ波）を誤認することなく、これらの信号により送信側から監視だけでなく、制御も行うことができる。
【００７８】
（監視制御システムの構成［第三実施形態］）
図３に監視制御システムの第三実施形態のブロック図を示す。この図３に示すように、監視制御システムＣは、監視制御装置１Ｃと、被監視制御装置３Ｃとを備えている。なお、図１、図２の監視制御システムＡ、Ｂで説明した構成と同一ものには、同じ符号を付して、その説明は省略する。
【００７９】
［監視制御装置１Ｃの構成］
監視制御装置１Ｃは、識別信号発生手段５と、ＴＳ信号送出手段７と、信号重畳手段９と、ＯＦＤＭ変調手段１１と、出力手段１３とを備えている。なお、この監視制御装置１Ｃは、実質的に監視制御装置１Ａと同様の構成であるので、その説明は省略する。但し、便宜上、符号を１Ａから１Ｃに変更している。当然のことながら、この監視制御装置１Ｃは、監視制御装置１Ａと同様の効果を得ることができる。
【００８０】
［被監視制御装置３Ｃの構成］
被監視制御装置３Ｃは、第一分配手段２５と、受信手段１７と、送信手段２３と、第二分配手段２７と、第一補助チャンネル復調手段２９と、第二復調チャンネル復調手段３１と、識別信号検出手段２１ｃとを備えている。
【００８１】
第一分配手段２５は、監視制御装置１Ｃから地上デジタル放送の放送波として送信されたＯＦＤＭ信号がアンテナ等で捕捉され、この捕捉されたＯＦＤＭ信号を、複数系統（通常、２，３系統）に分配するものである。この第一分配手段２５で分配されたＯＦＤＭ信号は、受信手段１７と、第一補助チャンネル復調手段２９とに入力される。
【００８２】
第二分配手段２７は、送信手段２３で再変換処理が施されたＯＦＤＭ信号を、第二補助チャンネル復調手段３１に出力するものである。つまり、この第二分配手段２７は、図２に示した監視制御システムＢの被監視制御装置３Ｂの分配手段１５ｂと同様に、ＯＦＤＭ信号の送信（出力）側に設けられている。
【００８３】
第一補助チャンネル復調手段２９は、第一分配手段２５で分配されたＯＦＤＭ信号を復調して得られる信号重畳ＴＳ信号に含まれている補助チャンネルを復調するものである。つまり、この第一補助チャンネル復調手段２９は、第一分配手段２５で分配されたＯＦＤＭ信号を復調して、信号重畳ＴＳ信号を取得すると共に、この信号重畳ＴＳ信号を復調するものである。
【００８４】
第二復調チャンネル復調手段３１は、送信手段２３で再変換処理が施されたＯＦＤＭ信号を復調して得られる信号重畳ＴＳ信号に含まれている補助チャンネルを復調するものである。つまり、この第二補助チャンネル復調手段３１は、第二分配手段２７で分配されたＯＦＤＭ信号を復調して、信号重畳ＴＳ信号を取得すると共に、この信号重畳ＴＳ信号を復調するものである。
【００８５】
識別信号検出手段２１ｃは、第一補助チャンネル復調手段２９で復調された信号重畳ＴＳ信号に含まれている補助チャンネルおよび第二補助チャンネル復調手段３１で復調された信号重畳ＴＳ信号に含まれている補助チャンネルから、送信側の監視制御装置１Ｃで重畳されたメディア識別信号、放送所識別ＩＤ信号を検出すると共に、検出したメディア識別信号、放送所識別ＩＤ信号が予め設定した自局メディア識別信号と一致しない場合に、アラーム信号と予備系切替制御信号とを出力するものである。
【００８６】
つまり、この識別信号検出手段２１ｃによって、受信側のＯＦＤＭ信号から得られた補助チャンネルおよび送信側のＯＦＤＭ信号から得られた補助チャンネルからメディア識別信号、放送所識別ＩＤ信号を検出することによって、当該被監視制御装置３Ｃ自体が正常に動作しているどうかを判定（判別）し、正常に動作していないと判定された場合には、アラーム信号を出力すると共に、中継局放送所に予め備えられている別の予備装置（図示せず）に切り替える予備系切替制御信号を出力する。この予備系切替制御信号によって、予備装置（図示せず）で、送信側の親局放送所から送信されたＯＦＤＭ信号を受信して、他の中継局放送所に中継することとなる。なお、この実施の形態では、識別信号検出手段２１ｃにおける当該被監視制御装置３Ｃ自体が正常に動作しているどうかの判定（判別）は、少なくとも一方の補助チャンネルから検出されたメディア識別信号、放送所識別ＩＤ信号が自局メディア識別信号と一致していない場合に当該被監視制御装置３Ｃ自体が正常に動作していないと判定（判別）される。
【００８７】
この被監視制御装置３Ｃによれば、第一分配手段２５で、地上デジタル放送の放送波であるＯＦＤＭ信号が分配され、受信手段１７により、第一分配手段２５で分配されたＯＦＤＭ信号が受信される。続いて、第一補助チャンネル復調手段２９で、ＯＦＤＭ信号をＯＦＤＭ復調して得られる信号重畳ＴＳ信号に含まれる補助チャンネルが復調され、送信手段２３で、予備系切替制御信号に基づいて、当該放送波（ＯＦＤＭ信号）が送信される。そして、第二分配手段２７により、送信手段２３で送信されるＯＦＤＭ信号が分配され、第二補助チャンネル復調手段３１で、分配されたＯＦＤＭ信号をＯＦＤＭ復調して得られる信号重畳ＴＳ信号に含まれる補助チャンネルが復調され、識別信号検出手段２１で、復調された少なくとも一方の補助チャンネルからメディア識別信号、放送所識別ＩＤ信号が検出され、これらが自局メディア識別信号と一致しない場合に、アラーム信号が出力され、予備系切替制御信号が出力される。このため、被監視制御装置３Ｃでは、送信側で補助チャンネルを有効利用して重畳されたメディア識別信号、放送所識別ＩＤ信号に基づいて、受信側のＯＦＤＭ信号から得られる補助チャンネルおよび送信側のＯＦＤＭ信号から得られる補助チャンネルから、メディア識別信号、放送所識別ＩＤ信号を検出し、自局メディア識別信号と一致するか否かを判定しているので、当該被監視制御装置３Ｃ自体の異常を検出することができる。
【００８８】
（監視制御システムの構成［第四実施形態］）
図４に監視制御システムの第四実施形態のブロック図を示す。この図４に示すように、監視制御システムＤは、監視制御装置１Ｄと、被監視制御装置３Ｄとを備えている。なお、図１〜図３の監視制御システムＡ、Ｂ、Ｃで説明した構成と同一ものには、同じ符号を付して、その説明は省略する。
【００８９】
この監視制御システムＤでは、制御対象となる中継局放送所に配置されている被監視制御装置３Ｄに、複数のメディアからメディア識別信号、放送所識別ＩＤ信号が含まれている情報が入力され、これらの信号に基づいて、当該被監視制御装置３Ｄが監視制御されている。
【００９０】
［監視制御装置１Ｄの構成］
監視制御装置１Ｄは、識別信号発生手段５と、制御信号入力手段３３と、ＴＳ信号送出手段７と、信号重畳手段９ｄと、ＯＦＤＭ変調手段１１と、出力手段１３とを備えている。なお、
【００９１】
制御信号入力手段３３は、制御対象局となる中継局放送所の被監視制御装置３Ｄを制御する制御信号を、当該監視制御装置１Ｄのユーザによって入力するものである。なお、制御対象局となる中継局放送所には、複数のメディア（情報伝搬手段）が備えられている。
【００９２】
信号重畳手段９ｄは、ＴＳ信号送出手段７で送出されたＴＳ信号において予め設定されている補助チャンネルに、識別信号発生手段５で発生されたメディア識別信号および放送所識別ＩＤ信号と、制御信号入力手段３３で入力された制御信号とを重畳するものである。つまり、この信号重畳手段９ｄは、付加情報を伝送するための補助チャンネルに、メディア識別信号および放送所識別ＩＤ信号と、制御信号とを当該付加情報として挿入するものである。
【００９３】
この監視制御装置１Ｄによれば、識別信号発生手段５で、メディア識別信号および放送所識別ＩＤ信号が発生され、制御信号入力手段３３で、制御信号が入力される。続いて、ＴＳ信号送出手段７で、地上デジタル放送の放送波のＴＳ信号が送出され、信号重畳手段９ｄで、ＴＳ信号送出手段で送出されたＴＳ信号にて予め設定される補助チャンネルに、識別信号発生手段５で発生されたメディア識別信号、放送所識別ＩＤ信号、制御信号入力手段３３で入力された制御信号が重畳（格納）され、これらを重畳した信号重畳ＴＳ信号が、ＯＦＤＭ変調手段１１によって、ＯＦＤＭ変調が施される。そして、出力手段１３により、ＯＦＤＭ変調手段１１で信号重畳ＴＳ信号にＯＦＤＭ変調が施されたＯＦＤＭ信号が、地上デジタル放送の放送波として出力される。このため、地上デジタル放送の放送波において、補助チャンネルを有効利用して、メディア識別信号、放送所識別ＩＤ信号および制御信号を出力しているので、受信側の被監視制御装置３Ｄでは、当該メディア識別信号、放送所識別ＩＤ信号に基づいて、受信したＯＦＤＭ信号の所属元、制御対象が判別されると共に、制御信号に従った制御が行われることとなり、通信回線を使用することなく、他の外来ノイズ成分や他局のデジタル波（ＯＦＤＭ信号）を誤認することなく、当該装置３Ｄの監視だけでなく、制御も行うことができる。
【００９４】
［被監視制御装置３Ｄの構成］
被監視制御装置３Ｄは、分配手段１５と、受信手段１７と、送信手段２３と、第一補助チャンネル復調手段２９と、第二補助チャンネル復調手段３１ｄと、識別信号検出手段２１ｄとを備えている。
【００９５】
第二補助チャンネル復調手段３１ｄは、当該被監視制御装置３Ｄとは別の装置（図示せず）から入力された補助チャンネルを復調するものである。別の装置（図示せず）とは、中継局放送所に備えられている他のメディア設備を指すものである。
【００９６】
識別信号検出手段２１ｄは、第一補助チャンネル復調手段２９で復調された信号重畳ＴＳ信号に含まれている補助チャンネルおよび第二補助チャンネル復調手段３１ｄで復調された信号重畳ＴＳ信号に含まれている補助チャンネルから、送信側の監視制御装置１Ｄで重畳されたメディア識別信号、放送所識別ＩＤ信号を検出すると共に、検出したメディア識別信号、放送所識別ＩＤ信号が予め設定した自局メディア識別信号と一致しない場合に、アラーム信号と予備系切替制御信号とを出力するものである。
【００９７】
この被監視制御装置３Ｄによれば、分配手段１５で、地上デジタル放送の放送波であるＯＦＤＭ信号が分配され、受信手段１７により、分配手段１５で分配されたＯＦＤＭ信号が受信される。続いて、第一補助チャンネル復調手段２９で、ＯＦＤＭ信号をＯＦＤＭ復調して得られる信号重畳ＴＳ信号に含まれる補助チャンネルが復調され、第二補助チャンネル復調手段３１ｄで、当該被監視制御装置３Ｄとは別の装置（図示せず）から入力された信号重畳ＴＳ信号に含まれる補助チャンネルが復調される。そして、識別信号検出手段２１ｄにより、第一補助チャンネル復調手段２９で復調された補助チャンネルおよび第二補助チャンネル復調手段３１ｄで復調された補助チャンネルからメディア識別信号、放送所識別ＩＤ信号および制御信号が検出されると共に、当該メディア識別信号および当該放送所識別ＩＤ信号が予め設定された信号と一致しない場合に、異常検出を報知するアラーム信号と、制御信号および予め準備されている予備装置に切り替える制御を行わせる予備系切替制御信号とが出力される。また、送信手段２３により、識別信号検出手段２１ｄで出力された制御信号および予備系切替制御信号に基づいて、受信手段１７で受信された放送波（ＯＦＤＭ信号）が送信される。このため、被監視制御装置３Ｄでは、送信側で補助チャンネルを有効利用して重畳されたメディア識別信号、放送所識別ＩＤ信号および制御信号に基づいて、様々な制御（スケルチ制御等）が実施できる。特に、この被監視制御装置３Ｄでは、一つのメディア（電波等）が正常であれば、通信回線を使用することなく、他の外来ノイズ成分や他局のデジタル波（ＯＦＤＭ波）を誤認することなく、当該メディアによって伝搬される制御信号により送信側から監視だけでなく、制御も行うことができる。
【００９８】
（監視制御システムの構成［第五実施形態］）
図５に監視制御システムの第五実施形態のブロック図を示す。この図５に示すように、監視制御システムＥは、監視制御装置１Ｅと、被監視制御装置３Ｅとを備えている。なお、図１〜図４の監視制御システムＡ、Ｂ、Ｃ、Ｄで説明した構成と同一ものには、同じ符号を付して、その説明は省略する。
【００９９】
［監視制御装置１Ｅの構成］
監視制御装置１Ｅは、制御信号入力手段３３と、ＴＳ信号送出手段７ｅと、信号重畳手段９と、ＯＦＤＭ変調手段１１と、出力手段１３とを備えている。この監視制御装置１Ｅは、図４に示した監視制御装置１Ｄから識別信号発生手段５を除外して構成されており、この識別信号発生手段５で発生されるメディア識別信号、放送所識別ＩＤ信号は、ＴＳ信号送出手段７ｅが送出するＴＳ信号に放送波プログラムとして収められている。
【０１００】
ＴＳ信号送出手段７ｅは、地上デジタル放送の放送波（ＯＦＤＭ信号）のプログラム（ＴＳ信号の放送波プログラム）として、メディア識別信号、放送所識別ＩＤ信号を含めたＴＳ信号を送出するものである。
【０１０１】
［被監視制御装置３Ｅの構成］
被監視制御装置３Ｅは、分配手段１５と、受信手段１７と、送信手段２３と、補助チャンネル復調手段１９と、ＯＦＤＭ復調手段３５と、識別信号検出手段２１ｅとを備えている。
【０１０２】
ＯＦＤＭ復調手段３５は、分配手段１５で分配されたＯＦＤＭ信号を復調して、ＴＳ信号の放送波プログラムを識別信号検出手段に出力するものである。このＴＳ信号の放送波プログラムは、現行のデータ放送におけるプログラムと同様に、ＸＭＬで記述されたものである。
【０１０３】
識別信号検出手段２１ｅは、補助チャンネル復調手段１９で復調された信号重畳ＴＳ信号に含まれている補助チャンネルから制御信号を検出すると共に、この検出した制御信号と、ＯＦＤＭ復調手段３５でＯＦＤＭ信号の放送波プログラムから検出されたメディア識別信号、放送所識別ＩＤ信号とに基づいて、アラーム信号と予備系切替制御信号とを出力するものである。
【０１０４】
この被監視制御装置３Ｅによれば、分配手段１５で、地上デジタル放送の放送波であるＯＦＤＭ信号が分配され、受信手段１７により、分配手段１５で分配されたＯＦＤＭ信号が受信される。続いて、補助チャンネル復調手段１９で、ＯＦＤＭ信号をＯＦＤＭ復調して得られる信号重畳ＴＳ信号に含まれる補助チャンネルが復調され、ＯＦＤＭ復調手段３５で、ＯＦＤＭ信号をＯＦＤＭ復調して得られるＴＳ信号の放送波プログラムが出力される。そして、識別信号検出手段２１ｅで、補助チャンネル復調手段１９で復調された補助チャンネルから制御信号が検出され、且つ、ＯＦＤＭ復調手段３５で復調された放送波プログラムからメディア識別信号、放送所識別ＩＤ信号が検出されると共に、当該メディア識別信号と当該放送所識別ＩＤ信号との少なくとも一方が予め設定された信号と一致しない場合に、異常検出を報知するアラーム信号と当該装置の機能を停止させるスケルチ制御信号とが出力される。その後、送信手段２３により、識別信号検出手段２１ｅでスケルチ制御信号が出力されなかった場合に、受信手段１７で受信された放送波（ＯＦＤＭ信号）が送信される。このため、被監視制御装置３Ｅでは、送信側で補助チャンネルを有効利用して重畳された制御信号と、ＴＳ信号の放送波プログラムに収められていたメディア識別信号、放送所識別ＩＤ信号とに基づいて、様々な制御（スケルチ制御等）が実施でき、通信回線を使用することなく、他の外来ノイズ成分や他局のデジタル波（ＯＦＤＭ波）を誤認することなく、当該メディアによって伝搬される制御信号により送信側からの監視だけでなく、制御も行うことができる。
【０１０５】
（監視制御システムの動作［第一実施形態］）
次に、図６に示すシーケンシャルチャートを参照して、監視制御システムＡの動作を説明する（適宜、図１参照）。
まず、監視制御装置１Ａは、識別信号発生手段５によって、メディア識別信号、放送所識別ＩＤ信号を発生する（ａ１）。続いて、監視制御装置１Ａは、ＴＳ信号送出手段７によって、ＴＳ信号を送出し（ａ２）、信号重畳手段９によって、ＴＳ信号で予め設定されている補助チャンネルに、識別信号発生手段５で生成されたメディア識別信号、放送所識別ＩＤ信号を重畳し、信号重畳ＴＳ信号とする（ａ３）。
【０１０６】
そして、監視制御装置１Ａは、ＯＦＤＭ変調手段１１によって、信号重畳手段９でメディア識別信号、放送所識別ＩＤ信号が重畳された信号重畳ＴＳ信号にＯＦＤＭ変調を施して（ａ４）、出力手段１３によって、地上デジタル放送の放送波（ＯＦＤＭ信号）として送信する（ａ５）。
【０１０７】
すると、被監視制御装置３Ａは、分配手段１５によって、捕捉された地上デジタルの放送波（ＯＦＤＭ信号）を分配し（ｂ１）、受信手段１７によって、分配手段１５で分配されたＯＦＤＭ信号を受信する（ｂ２）。そして、被監視制御装置３Ａは、補助チャンネル復調手段１９によって、分配手段１５で分配されたＯＦＤＭ信号を復調して得られる信号重畳ＴＳ信号に含まれている補助チャンネルを復調し（ｂ３）、識別信号検出手段２１によって、復調された補助チャンネルからメディア識別信号、放送所識別ＩＤ信号を検出する（ｂ４）。
【０１０８】
そして、被監視制御装置３Ａは、識別信号検出手段２１によって、検出したメディア識別信号、放送所識別ＩＤ信号が、自局メディア識別信号と一致しているかどうかを判定し（ｂ５）、一致している場合（ｂ５、Ｙｅｓ）には、送信手段２３によって、放送波（ＯＦＤＭ信号）を送信し（ｂ６）、一致していない場合（ｂ５、Ｎｏ）には、送信手段２３にスケルチ制御信号を出力すると共に、外部にアラーム信号を出力する（ｂ７）。
【０１０９】
（監視制御システムの動作［第二実施形態］）
次に、図７に示すシーケンシャルチャートを参照して、監視制御システムＢの動作を説明する（適宜、図２参照）。
まず、監視制御装置１Ｂは、識別信号発生手段５によって、メディア識別信号、放送所識別ＩＤ信号を発生する（ａ１１）。続いて、監視制御装置１Ｂは、ＴＳ信号送出手段７によって、ＴＳ信号を送出し（ａ１２）、信号重畳手段９によって、ＴＳ信号で予め設定されている補助チャンネルに、識別信号発生手段５で生成されたメディア識別信号、放送所識別ＩＤ信号を重畳し、信号重畳ＴＳ信号とする（ａ１３）。
【０１１０】
そして、監視制御装置１Ｂは、ＯＦＤＭ変調手段１１によって、信号重畳手段９でメディア識別信号、放送所識別ＩＤ信号が重畳された信号重畳ＴＳ信号にＯＦＤＭ変調を施して（ａ１４）、出力手段１３によって、地上デジタル放送の放送波（ＯＦＤＭ信号）として送信する（ａ１５）。
【０１１１】
すると、被監視制御装置３Ｂは、受信手段１７ｂによって、地上デジタル放送の放送波（ＯＦＤＭ信号）を受信し（ｂ１１）、変換処理を施して、送信手段２３ｂに出力し、この送信手段２３ｂによってＯＦＤＭ信号を出力する（ｂ１２）。続いて、被監視制御装置３Ｂは、分配手段１５ｂによって、出力されたＯＦＤＭ信号を分配し（ｂ１３）し、補助チャンネル復調手段１９ｂによって、分配手段１５ｂで分配されたＯＦＤＭ信号を復調して得られる信号重畳ＴＳ信号に含まれている補助チャンネルを復調し（ｂ１４）、識別信号検出手段２１ｂによって、復調された補助チャンネルからメディア識別信号、放送所識別ＩＤ信号を検出する（ｂ１５）。
【０１１２】
そして、被監視制御装置３Ｂは、識別信号検出手段２１ｂによって、検出したメディア識別信号、放送所識別ＩＤ信号が、自局メディア識別信号と一致しているかどうかを判定し（ｂ１６）、一致している場合（ｂ１６、Ｙｅｓ）には、送信手段２３ｂによって、放送波（ＯＦＤＭ信号）を継続して送信し（ｂ１７）、一致していない場合（ｂ１６、Ｎｏ）には、送信手段２３に予備系切替制御信号を出力すると共に、外部にアラーム信号を出力する（ｂ１８）。
【０１１３】
（監視制御システムの動作［第三実施形態］）
次に、図８に示すシーケンシャルチャートを参照して、監視制御システムＣの動作を説明する（適宜、図３参照）。
まず、監視制御装置１Ｃは、識別信号発生手段５によって、メディア識別信号、放送所識別ＩＤ信号を発生する（ａ２１）。続いて、監視制御装置１Ｃは、ＴＳ信号送出手段７によって、ＴＳ信号を送出し（ａ２２）、信号重畳手段９によって、ＴＳ信号で予め設定されている補助チャンネルに、識別信号発生手段５で生成されたメディア識別信号、放送所識別ＩＤ信号を重畳し、信号重畳ＴＳ信号とする（ａ２３）。
【０１１４】
そして、監視制御装置１Ｃは、ＯＦＤＭ変調手段１１によって、信号重畳手段９でメディア識別信号、放送所識別ＩＤ信号が重畳された信号重畳ＴＳ信号にＯＦＤＭ変調を施して（ａ２４）、出力手段１３によって、地上デジタル放送の放送波（ＯＦＤＭ信号）として送信する（ａ２５）。
【０１１５】
すると、被監視制御装置３Ｃは、第一分配手段２５によって、地上デジタル放送の放送波（ＯＦＤＭ信号）を分配し（ｂ２１）、受信手段１７によって、ＯＦＤＭ信号を受信する（ｂ２２）。続いて、被監視制御装置３Ｃは、第一補助チャンネル復調手段２９によって、第一分配手段２５で分配されたＯＦＤＭ信号を復調して得られる信号重畳ＴＳ信号に含まれている補助チャンネルを復調し（ｂ２３）、識別信号検出手段２１ｃによって、復調された補助チャンネルからメディア識別信号、放送所識別ＩＤ信号を検出する（ｂ２４）。
【０１１６】
そして、被監視制御装置３Ｃは、識別信号検出手段２１ｃによって、検出したメディア識別信号、放送所識別ＩＤ信号が、自局メディア識別信号と一致しているかどうかを判定し（ｂ２５）、一致している場合（ｂ２５、Ｙｅｓ）には、送信手段２３によって、放送波（ＯＦＤＭ信号）を送信する（ｂ２６）。そしてまた、被監視制御装置３Ｃは、第二分配手段２７によって、送信手段２３から送信されたＯＦＤＭ信号を分配し（ｂ２７）、第二補助チャンネル復調手段３１によって、送信されたＯＦＤＭ信号を復調して得られる信号重畳ＴＳ信号に含まれている補助チャンネルを復調し（ｂ２８）、識別信号検出手段２１ｃによって、復調された補助チャンネルからメディア識別信号、放送所識別ＩＤ信号を検出する（ｂ２９）。
【０１１７】
そして、被監視制御装置３Ｃは、識別信号検出手段２１ｃによって、メディア識別信号、放送所識別ＩＤ信号が検出できたかどうかを判定し（ｂ３０）、検出できた場合（ｂ３０、Ｙｅｓ）には送信手段２３から放送波（ＯＦＤＭ信号）を継続して送信する（ｂ３１）。また、ｂ２５にてメディア識別信号、放送所識別ＩＤ信号と、自局メディア識別信号が一致しなかった場合（ｂ２５、Ｎｏ）およびｂ３０にてメディア識別信号、放送所識別ＩＤ信号が検出できなかった場合（ｂ３０、Ｎｏ）、送信手段２３に予備系切替制御信号を出力すると共に、外部にアラーム信号を出力する（ｂ３２）。
【０１１８】
（監視制御システムの動作［第四実施形態］）
次に、図９に示すシーケンシャルチャートを参照して、監視制御システムＤの動作を説明する（適宜、図４参照）。
まず、監視制御装置１Ｄは、識別信号発生手段５によって、メディア識別信号、放送所識別ＩＤ信号を発生する（ａ３１）。続いて、監視制御装置１Ｄには、制御信号入力手段３３を介して、制御信号が入力される（ａ３２）。そして、監視制御装置１Ｄは、ＴＳ信号送出手段７によって、ＴＳ信号を送出し（ａ３３）、信号重畳手段９ｄによって、ＴＳ信号で予め設定されている補助チャンネルに、識別信号発生手段５で生成されたメディア識別信号、放送所識別ＩＤ信号と、制御信号入力手段３３を介して入力された制御信号とを重畳し、信号重畳ＴＳ信号とする（ａ３４）。
【０１１９】
そして、監視制御装置１Ｄは、ＯＦＤＭ変調手段１１によって、信号重畳手段９ｄでメディア識別信号、放送所識別ＩＤ信号および制御信号が重畳された信号重畳ＴＳ信号にＯＦＤＭ変調を施して（ａ３５）、出力手段１３によって、地上デジタル放送の放送波（ＯＦＤＭ信号）として送信する（ａ３６）。
【０１２０】
すると、被監視制御装置３Ｄでは、分配手段１５によって、捕捉された地上デジタルの放送波（ＯＦＤＭ信号）を分配し（ｂ４１）、受信手段１７によって、分配手段１５で分配されたＯＦＤＭ信号を受信する（ｂ４２）。そして、被監視制御装置３Ｄは、第一補助チャンネル復調手段２９によって、分配手段１５で分配されたＯＦＤＭ信号を復調して得られる信号重畳ＴＳ信号に含まれている補助チャンネルを復調し（ｂ４３）、第二補助チャンネル復調手段３１ｄによって、他のメディアから入力された信号重畳ＴＳ信号に含まれている補助チャンネルを復調する（ｂ４４）。
【０１２１】
そして、被監視制御装置３Ｄは、識別信号検出手段２１ｄによって、復調された補助チャンネルからメディア識別信号、放送所識別ＩＤ信号を検出する（ｂ４５）。そして、被監視制御装置３Ｄは、識別信号検出手段２１ｄによって、検出したメディア識別信号、放送所識別ＩＤ信号が、自局メディア識別信号と一致しているかどうかを判定し（ｂ４６）、一致している場合（ｂ４６、Ｙｅｓ）には、制御信号に基づく制御を実施し、放送波（ＯＦＤＭ信号）を送信し（ｂ４７）、一致していない場合（ｂ４６、Ｎｏ）には、送信手段２３に予備系切替制御信号を出力すると共に、外部にアラーム信号を出力する（ｂ４８）。
【０１２２】
（監視制御システムの動作［第五実施形態］）
次に、図１０に示すシーケンシャルチャートを参照して、監視制御システムＥの動作を説明する（適宜、図５参照）。
まず、監視制御装置１Ｅには、制御信号入力手段３３を介して、制御信号が入力される（ａ４１）。そして、監視制御装置１Ｅは、ＴＳ信号送出手段７によって、ＴＳ信号を送出し（ａ４２）、信号重畳手段９によって、ＴＳ信号で予め設定されている補助チャンネルに、制御信号入力手段３３を介して入力された制御信号とを重畳し、信号重畳ＴＳ信号とする（ａ４３）。
【０１２３】
そして、監視制御装置１Ｅは、ＯＦＤＭ変調手段１１によって、信号重畳手段９で制御信号が重畳された信号重畳ＴＳ信号にＯＦＤＭ変調を施して（ａ４４）、出力手段１３によって、地上デジタル放送の放送波（ＯＦＤＭ信号）として送信する（ａ４５）。
【０１２４】
すると、被監視制御装置３Ｅでは、分配手段１５によって、捕捉された地上デジタルの放送波（ＯＦＤＭ信号）を分配し（ｂ５１）、受信手段１７によって、分配手段１５で分配されたＯＦＤＭ信号を受信する（ｂ５２）。そして、被監視制御装置３Ｅは、補助チャンネル復調手段１９によって、分配手段１５で分配されたＯＦＤＭ信号を復調して得られる信号重畳ＴＳ信号に含まれている補助チャンネルを復調し（ｂ５３）、ＯＦＤＭ復調手段３５によって、ＯＦＤＭ信号を復調し（ｂ５４）、復調の結果得られるＴＳ信号の放送波プログラムを識別信号検出手段２１ｅに出力する。
【０１２５】
そして、被監視制御装置３Ｅは、識別信号検出手段２１ｅによって、復調された補助チャンネルから制御信号を検出すると共に、ＯＦＤＭ復調手段３５から出力されたＴＳ信号の放送プログラムからメディア識別信号、放送所識別ＩＤ信号を検出する（ｂ５５）。
【０１２６】
そして、被監視制御装置３Ａは、識別信号検出手段２１ｅによって、検出したメディア識別信号、放送所識別ＩＤ信号が、自局メディア識別信号と一致しているかどうかを判定し（ｂ５６）、一致している場合（ｂ５６、Ｙｅｓ）には、制御信号に基づく制御を実施して、送信手段２３によって、放送波（ＯＦＤＭ信号）を送信し（ｂ５７）、一致していない場合（ｂ５６、Ｎｏ）には、送信手段２３にスケルチ制御信号を出力すると共に、外部にアラーム信号を出力する（ｂ５８）。
【０１２７】
（監視制御システムによるレベル制御について）
次に、図１１を参照して、監視制御システムＡのレベル制御について説明する。
この図１１は、監視制御システムＡを利用し、複数の制御対象局のレベル制御について説明した図である。なお、レベル制御とは、予め設定されたレベルに応じて制御対象局の数（段数）を特定して、監視制御を行うことを指すものである。
図１１（ａ）はレベル１の場合におけるレベル制御を示しており、この場合、監視制御装置１Ａから送信された地上デジタル放送の放送波（ＯＦＤＭ信号）を最初に受信した親局放送所のみが監視制御の対象となる。
【０１２８】
図１１（ｂ）はレベル２の場合におけるレベル制御を示しており、この場合、監視制御装置１Ａから送信された地上デジタル放送の放送波（ＯＦＤＭ信号）を最初に受信した親局放送所と、次にこの親局放送所から出力された放送波（ＯＦＤＭ信号）を受信した１段目中継局放送所とが監視制御対象となる。
【０１２９】
図１１（ｃ）はレベル３の場合におけるレベル制御を示しており、この場合、監視制御装置１Ａから送信された地上デジタル放送の放送波（ＯＦＤＭ信号）を最初に受信した親局放送所と、次にこの親局放送所から出力された放送波（ＯＦＤＭ信号）を受信した１段目中継局放送所と、この１段目中継局放送所によって中継された放送波（ＯＦＤＭ信号）を受信した２段目中継局放送所とが監視制御対象となる。
【０１３０】
図１１（ｄ）はレベル４の場合におけるレベル制御を示しており、この場合、監視制御装置１Ａから送信された地上デジタル放送の放送波（ＯＦＤＭ信号）を最初に受信した親局放送所と、次にこの親局放送所から出力された放送波（ＯＦＤＭ信号）を受信した１段目中継局放送所と、この１段目中継局放送所によって中継された放送波（ＯＦＤＭ信号）を受信した２段目中継局放送所と、さらに、２段目中継局放送所によって中継された放送波（ＯＦＤＭ信号）を受信した３段目中継局放送所とが監視制御対象となる。
【０１３１】
この図１１に示したように、制御対象局の監視制御を設定する側で、レベルを設定することによって、地上デジタル放送の放送波を受信し、中継する親局放送所、中継局放送所の数（段数）を任意に設定することができる。
【０１３２】
（識別信号とＩＤ識別器について）
次に、図１２を参照して、識別信号（メディア識別信号、放送所識別ＩＤ信号）とこの識別信号を識別するＩＤ識別器について説明する。
図１２は、被監視制御装置３Ａ〜３Ｄ（３Ｅは除く）の識別信号検出手段２１〜２１ｄに備えられているＩＤ識別器を説明したものである。なお、被監視制御装置３Ｅでは、図示を省略している。
【０１３３】
この図１２に示すように、ＩＤ識別器は、補助チャンネル（ＡＣ）の復調出力（２４ビット）を入力として、ＩＤ異常検出または演奏所（親局放送所）からの制御、或いは、ＩＤ異常出力または予備系への切替制御（接点またはロジック出力）を示す各種の信号を出力するもので、ＩＤデコーダと、デコーダと、ＩＤ指定（１６ビット）の各構成を備えている。
【０１３４】
補助チャンネル（ＡＣ）の復調出力（２４ビット）の内訳は、ＩＤ利用に１６ビット、制御利用に８ビットのデータ量が確保されている。
【０１３５】
ＩＤデコーダは、復調出力（２４ビット）と予め指定されている識別番号とを比較判定し、ＩＤ検出または演奏所（親局放送所）からの制御を示す各種の信号の出力を行うものである。なお、ＩＤデコーダは、演奏所（親局放送所）への信号の送り返し、或いは、中継放送所に配置されているローカルＰＣ用のデコーダを通さない２４ビットのデータ出力も行っている。
【０１３６】
デコーダは、ＩＤデコーダの出力を受け、ＩＤ異常出力または予備系への切替制御（接点またはロジック出力）を示す各種の信号の出力をおこなうものである。
ＩＤ指定（１６ビット）は、予め各被監視制御装置３Ａ〜３Ｅに設定された信号（メディア識別信号、放送所識別ＩＤ信号）を保持するものである。
【０１３７】
また、この図１２に図示したように、ＩＤ識別器によるＩＤ異常検出の例では、例えば、不一致の場合、ＩＤ利用の１６ビットが「００００  ００００  ００００  ０００１」となり、一致の場合、ＩＤ利用の１６ビットが「０１１０  １０１０  ００１１  １０１１」となる。不一致の場合、ＩＤ異常出力または予備系への切替制御（接点またはロジック出力）を示す各種の信号が出力されることとなる。
【０１３８】
（補助チャンネルについて）
次に、図１３を参照して、補助チャンネルについて説明する。
図１３は、補助チャンネル（ＡＣ）のパケット（ＡＣパケット）のデータ構造を説明したものである。この図１３に示したように、補助チャンネル（ＡＣ）は、電波産業会（ＡＲＩＢ）の標準規格であるＡＲＩＢ  ＳＴＤ−Ｂ３１で規定されているように、差動基準（１ビット）、構成識別（３ビット）、サービス識別（４ビット）、パケット番号（９ビット）、最大パケット番号識別（１ビット）、ＩＤ信号（２４ビット）、パリティ（８２ビット）を含んで構成されている。なお、この実施の形態では、補助チャンネル（ＡＣ）のパケット（ＡＣパケット）のデータ構造は、ＡＲＩＢ  ＳＴＤ−Ｂ３１で規定されている「構成２」を利用している。
【０１３９】
補助チャンネル（ＡＣ）は、当該補助チャンネルのデータ部の先頭から２４ビットの所である「ＩＤ−１（４ビット）」、「ＩＤ−２（４ビット）」、「ＩＤ−３（４ビット）」、「ＩＤ−４（４ビット）」に、メディア識別信号、放送所識別ＩＤ信号を格納し、「制御（８ビット）」に、制御信号を格納している。
【０１４０】
以上、本発明の実施形態について説明したが、本発明は前記実施形態には限定されない。例えば、本実施形態では、監視制御装置１Ａ〜１Ｅ、被監視制御装置３Ａ〜３Ｅとして、説明しているが、各装置１Ａ〜１Ｅ、３Ａ〜３Ｅの各構成の処理を一つずつの過程ととらえた監視制御方法、被監視制御方法とみなすことも可能である。また、各装置１Ａ〜１Ｅ、３Ａ〜３Ｅの各構成の処理を汎用的なコンピュータ言語で記述した監視制御プログラム、被監視制御プログラムとみなすことも可能である。これらの場合、各装置１Ａ〜１Ｅ、３Ａ〜３Ｅと同様の効果を得ることができる。
【図面の簡単な説明】
【０１４１】
【図１】第一実施形態に係る監視制御システムのブロック図である。
【図２】第二実施形態に係る監視制御システムのブロック図である。
【図３】第三実施形態に係る監視制御システムのブロック図である。
【図４】第四実施形態に係る監視制御システムのブロック図である。
【図５】第五実施形態に係る監視制御システムのブロック図である。
【図６】図１に示した監視制御システムの動作を説明したシーケンシャルチャートである。
【図７】図２に示した監視制御システムの動作を説明したシーケンシャルチャートである。
【図８】図３に示した監視制御システムの動作を説明したシーケンシャルチャートである。
【図９】図４に示した監視制御システムの動作を説明したシーケンシャルチャートである。
【図１０】図５に示した監視制御システムの動作を説明したシーケンシャルチャートである。
【図１１】監視制御システムのレベル制御を説明した図である。
【図１２】識別信号とＩＤ識別器について説明した図である。
【図１３】補助チャンネルのパケットのデータ構造を説明した図である。
【図１４】従来のスケルチ検知装置のブロック図である。
【図１５】デジタル波を説明した図である。
【符号の説明】
【０１４２】
１Ａ〜１Ｅ      監視制御装置
３Ａ〜３Ｅ      被監視制御装置
５              識別信号発生手段
７              ＴＳ信号送出手段
９              信号重畳手段
１１            ＯＦＤＭ変調手段
１３            出力手段
１５            分配手段
１７            受信手段
１９            補助チャネル復調手段
２１            識別信号検出手段
２３            送信手段
２５            第一分配手段
２７            第二分配手段
２９            第一補助チャンネル復調手段
３１            第二補助チャンネル復調手段
３３            制御信号入力手段
３５            ＯＦＤＭ復調手段
【図１】
2005191904.tif 000003
【図２】
2005191904.tif 000004
【図３】
2005191904.tif 000005
【図４】
2005191904.tif 000006
【図５】
2005191904.tif 000007
【図６】
2005191904.tif 000008
【図７】
2005191904.tif 000009
【図８】
2005191904.tif 000010
【図９】
2005191904.tif 000011
【図１０】
2005191904.tif 000012
【図１１】
2005191904.tif 000013
【図１２】
2005191904.tif 000014
【図１３】
2005191904.tif 000015
【図１４】
2005191904.tif 000016
【図１５】
2005191904.tif 000017